【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
ガラス系基材（１、１’）の表面（１ａ、１ａ’）のマーキング方法であって、基材（１、１’）の表面（１ａ、１ａ’）を、所定の粘度の粘性のある状態で、マーキング材料で作られた表面（４１）との機械的な接触によって、機械的にマーキングする工程であって、ポアズで定義される該基材の該粘度の常用対数が４を超えて１１以下の範囲であり、該基材とマーキング表面の少なくとも１つが平面であって、併進して移動可能であり、マーキング材料で作られる表面と該基材の表面の間の相対速度は零でない工程を含むことを特徴とするマーキング方法。
【請求項２】
ポアズで定義される基材（１、１’）の粘度の常用対数が４．５〜８の範囲であることを特徴とする請求項１記載のマーキング方法。
【請求項３】
ポアズで定義される基材（１、１’）の粘度の常用対数が、５．５〜６．５の範囲であることを特徴とする請求項１記載のマーキング方法。
【請求項４】
マーキングは、微細な表面の不規則性を得さしめ、該不規則性が１０μｍ以下である粗度パラメータＲａ、および／または０．８ｍｍのガウシアンフィルタを用い、少なくとも３ミリメータの測定長さで、５μｍのピッチでの２°以上である粗度パラメータＲｄｑで定義されることを特徴とする請求項１〜３のいずれか１項記載のマーキング方法。
【請求項５】
不規則性が、基材（１、１’）上に霞がかったような、および／もしくはつや消しの外観を与える請求項４記載のマーキング方法。
【請求項６】
マーキングが、沈み込んだ、および／または浮き彫りの不規則性を既に有している面上に実施されることを特徴とする請求項１〜５のいずれか１項記載のマーキング方法。
【請求項７】
前記の表面が研磨材の、および／またはブラストされた、および／またはマーキング材料がセラミック系（４１）であることを特徴とする請求項１〜６のいずれか１項記載のマーキング方法。
【請求項８】
前記の表面（４１）が、ヴィッカース硬度が５００以上であるセラミック系層であることを特徴とする請求項１〜７のいずれか１項記載のマーキング方法。
【請求項９】
前記の表面（４１）がセラミック系の単層もしくは多層であり、ここでセラミックがジルコニウム酸マグネシウム、アルミナ／ジルコニア、炭化クロム、炭化タングステンおよび酸化クロムの物質群から選ばれる１つまたはそれ以上であることを特徴とする請求項１〜８のいずれか１項記載のマーキング方法。
【請求項１０】
前記の面（１ａ、１ａ’）が平面か、または概ね平面であることを特徴とする請求項１〜９のいずれか１項記載のマーキング方法。
【請求項１１】
前記のガラス基材（１、１’）に相当するシートを形成する工程であって、続いて中断なしで前記のマーキングが行われる工程を含むことを特徴とする請求項１〜１０のいずれか１項記載のマーキング方法。
【請求項１２】
マーキングが焼きなまし炉またはアニール炉を通る前に実施されることを特徴とする請求項１〜１１のいずれか１項記載のマーキング方法。
【請求項１３】
前記のガラス基材（１、１’）に相当するシートのローリングによる形成の工程であって、続いて中断なしで前記のマーキングが行われる工程を含むことを特徴とする請求項１〜１２のいずれか１項記載のマーキング方法。
【請求項１４】
ローリングが所望によりシートに印刷する、請求項１３項記載のマーキング方法。
【請求項１５】
シート（１、１’）の面（１ａ、１ａ’）の面の温度を上げた後に実施することを特徴とする請求項１３または１４記載のマーキング方法。
【請求項１６】
垂直なまたは水平の引き出しによる前述のガラス基材に相当するシートの形成工程であって、続いて中断なしで前記のマーキングが行われる工程を含むことを特徴とする請求項１〜１２のいずれか１項記載のマーキング方法。
【請求項１７】
前述のマーキング材料で作られた曲面の外面（４１）を有するマーキング手段（４０、４０’）でマーキングが実施されることを特徴とする請求項１〜１６のいずれか１項記載のマーキング方法。
【請求項１８】
前述の基材（１、１’）が与えられた速度で走行し、また該基材の速度よりも大きい線速度もしくは接線速度のマーキング手段（４０、４０’）でマーキングが実施されることを特徴とする請求項１〜１７のいずれか１項記載のマーキング方法。
【請求項１９】
選択された平らな面（１ａ、１ａ’）に概ね平行な軸の周りを回転するマーキング手段（４０、４０’）でマーキングが実施され、マーキング手段が円筒形の部材を含むことを特徴とする請求項１〜１８のいずれか１項記載のマーキング方法。
【請求項２０】
選択された平らな面（１ａ、１ａ’）に概ね平行な軸の周りを回転し、また該面（１ａ、１ａ’）の上部に配置されたマーキング手段（４０、４０’）でマーキングが実施され、基材は併進して移動可能であり、そして運搬装置上に配置されることを特徴とする請求項１〜１９のいずれか１項記載のマーキング方法。
【請求項２１】
回転するマーキング手段が、更に前進後進運動を有することを特徴とする請求項２０記載のマーキング方法。
【請求項２２】
マーキングが、空洞の円筒形本体、または中空でない本体であって、場合によっては下側に金属部分を含んでいる本体から選ばれる回転するマーキング手段で行なわれることを特徴とする請求項１〜２１のいずれか１項記載のマーキング方法。
【請求項２３】
異なるもしくは同一のマーキング材料で作られ、また異なるもしくは同一の方向軸をもっている複数の回転手段による連続したマーキングを含んでいることを特徴とする請求項１〜２２のいずれか１項記載のマーキング方法。
【請求項２４】
請求項１〜２３のいずれか１項記載のマーキング方法を実施するための、セラミック系のマーキング材料で作られた曲面の外部表面を有するマーキング手段。
【請求項２５】
空洞の円筒形本体、または中空でない本体であって、該本体は前述のマーキング材料でつくられており、または下側に金属部分を有し、そして場合によっては中間層を有する本体から選ばれる、請求項２４記載のマーキング手段。
【請求項２６】
セラミックが、ジルコニウム酸マグネシウム、アルミナ／ジルコニア、炭化クロム、炭化タングステンおよび酸化クロムの物質群から選ばれる１つまたはそれ以上であることを特徴とする請求項２４または２５記載のマーキング手段。
【請求項２７】
ガラス基材（１、１’）であって、１つの面が請求項１〜２３のいずれか１項記載のマーキング方法によって得られる不規則性を有するガラス基材。
【請求項２８】
ガラス基材（１、１’）であって、１つの面がスクラッチまたは引っ掻き（rayures）型の長い形の不規則性で、少なくとも１つの方向の不規則性を有するガラス基材。
【請求項２９】
不規則性が特には霞がかったような、および／もしくはつや消しの外観を与える、請求項２８記載のガラス基材。
【請求項３０】
５０％以上であるヘイズを有することを特徴とする請求項２７〜２９のいずれか１項記載のガラス基材（１、１’）。
【請求項３１】
面（１ａ、１ａ’）が、５μｍ未満である粗度パラメータＲａ、および０．８ｍｍのガウシアンフィルタを用い、また３ミリメータの測定長さで、５μｍのピッチでの２°超の粗度パラメータＲｄｑで定義される不規則性を有することを特徴とする請求項２７〜３０のいずれか１項記載のガラス基材。
【請求項３２】
面（１ａ、１ａ’）が、５ｍｍ以上の間隔の、そして１μｍ〜１ｍｍの範囲の深さの、浮き彫りおよび／または陥凹部を有することを特徴とする請求項２７〜３１のいずれか１項記載のガラス基材。
【請求項３３】
前記の面（１ａ、１ａ’）が、酸エッチングのガラスよりも簡単に汚れることがなく、および／または清浄にするのが容易であることを特徴とする請求項２７〜３２のいずれか１項記載のガラス基材（１ａ、１ａ’）。
【請求項３４】
ガラス基材（１ａ、１ａ’）であって、カーテンウォール要素として、内部の配置、パーティション、家具として、小売店の付属品に、ドアとして、店の窓ガラスとして、台所、浴室の装飾要素として、窓もしくは拡散器として用いられ、または光を前方に変える要素として用いられることを特徴とする請求項２７〜３３のいずれか１項記載のガラス基材。
【手続補正２】
【補正対象書類名】明細書
【補正対象項目名】００２３
【補正方法】変更
【補正の内容】
【００２３】
マーキングは、以下に規定される微細な表面の不規則性を得るのに適している。
平均振幅で表した粗度パラメータＲａが、１０μｍ以下、もしくは更には５μｍ以下、および／または、
平均勾配を示し、そして拡散水準を反映する、０．８ｍｍのガウシアンフィルタを用い、数ミリメータの測定長さ、例えば３ｍｍもしくは５ｍｍで、そして５μｍのピッチでの粗度パラメータＲｄｑが、２°以上、好ましくは３°以上である。
【手続補正３】
【補正対象書類名】明細書
【補正対象項目名】００８４
【補正方法】変更
【補正の内容】
【００８４】
本発明によるマーキングされたガラス基材は、特にカーテンウォール要素として、内部の配置、パーティション、家具などとして、飾り棚などの小売店の付属品に、ドアとして、店の窓ガラスとして、台所、浴室の装飾要素として、窓もしくは重ねて拡散器として用いることができる。